(57)【要約】【課題】クラッチとその導電性を有するローラ軸を、金型といった初期投資をすること無く、安価に、安定して抜けと回転止め、及び接地できるようにし、かつ、脱着が容易でしかも振動や落下などでも外れない、抜けと回転止め、及び接地部材を有した画像形成装置を提供することが課題である。【解決手段】両端部に接地用アームと固定用アームを設けたねじりスプリングの内径より広い幅とした入り口部と、内径より狭い幅とした保持部とを有してねじりスプリングを保持する保持具と、固定用アームのローラ軸方向移動を阻止しながら固定する固定具と、保持具と固定具の間で挟んで回転範囲を制限するよう構成した回転止め用腕部を有したクラッチとで構成し、前記クラッチの腕部を前記保持具と固定具の間で挟むと共に固定用アームで可動範囲を制限し、前記接地用アームを前記導電性を有するローラ軸に当接させて前記クラッチの導電性を有するローラ軸からの抜け防止と回転止め、及び前記導電性を有するローラ軸の接地とを行うようにした。【選択図】      図３
2004250174.tif 000002
【特許請求の範囲】
【請求項１】
画像形成装置における記録紙搬送用ローラの導電性を有するローラ軸に挿入したクラッチを有し、該クラッチの前記導電性を有するローラ軸からの抜け防止と回転止め、及び前記ローラ軸の接地とをねじりスプリングで行うようにした画像形成装置であって、
画像形成装置の導電性を有するフレーム構造体に設けられ、両端部に接地用アームと固定用アームを設けた前記ねじりスプリングの内径より広い幅とした入り口部と、内径より狭い幅とした保持部とを有して前記ねじりスプリングを保持する保持具と、前記固定用アームのローラ軸方向移動を阻止しながら固定する固定具と、前記保持具と前記固定具の間で挟んで回転範囲を制限するよう構成した回転止め用腕部を有した前記クラッチとからなり、前記クラッチの腕部を前記保持具と前記固定具の間で挟むと共に固定用アームで可動範囲を制限し、前記接地用アームを前記ローラ軸に当接させて前記ローラ軸からの抜け防止と回転止め、及び前記ローラ軸の接地とを行うようにしたことを特徴とする画像形成装置。
【請求項２】
前記保持部は、前記接地用アームを前記ローラ軸に当接させ、前記固定用アームを前記固定具に固定した状態でスプリング部の内径より狭い幅としたことを特徴とする請求項１に記載した画像形成装置。
【請求項３】
前記保持部は、該ねじりスプリングの高さ方向を該ねじりスプリングの高さより広く形成したことを特徴とする請求項１に記載した画像形成装置。
【請求項４】
前記保持部は、保持具の両側より切り欠きを設けて前記ねじりスプリングの内径より狭い幅にすると共に接地用アーム側の切り欠きを逆側より大きく設けたことを特徴とする請求項１に記載した画像形成装置。
【請求項５】
前記クラッチの回転止め腕部と前記保持具と前記固定具の間、及び前記固定用アームとの間に間隔を設けたことを特徴とする請求項１に記載した画像形成装置。
【請求項６】
前記固定用アームにクランク曲げ部を設けると共に前記クラッチの回転止め腕部を二股とし、前記クランク曲げ部におけるローラ軸方向部を前記二股の間に通したことを特徴とする請求項１に記載した画像形成装置。
【請求項７】
前記固定用アームに前記クラッチの回転止め腕部を押さえる箱曲げを設けたことを特徴とする請求項１に記載した画像形成装置。
【請求項８】
前記ねじりスプリングは、第１の巻き径部と、少なくとも２巻き以下を前記第１の巻き径部より小径とした第２の巻き径部とから構成されることを特徴とする請求項１に記載した画像形成装置。
【請求項９】
前記接地用アームは、前記導電性を有するローラ軸への当接部位に円弧状部を設けると共に端部が起こされていることを特徴とする請求項１に記載した画像形成装置。
【請求項１０】
前記ローラ軸の前記接地用アームを当接させる部位に溝を設けたことを特徴とする請求項１に記載した画像形成装置。
【請求項１１】
前記溝の深さと幅は、前記ねじりスプリングを構成する線材の直径より深く、幅を線材の直径の２倍以上としたことを特徴とする請求項１０に記載した画像形成装置。
【請求項１２】
前記溝に、絶縁性のグリスを塗布したことを特徴とする請求項１０に記載した画像形成装置。
【請求項１３】
前記固定具に切れ込みを有する挟持部を設けると共に前記固定用アーム端部に山形形状部を有した「コ」の字状の屈曲部を設け、前記挟持部によって前記固定用アームを撓ませながら端部の「コ」の字状屈曲部と山形形状部を保持して固定用アームを固定することを特徴とする請求項１に記載した画像形成装置。
【請求項１４】
前記固定用アームは、前記ねじりスプリング端部からスプリングの内側に掛かるように曲げられていることを特徴とする請求項１に記載した画像形成装置。
【発明の詳細な説明】
【０００１】
【発明の属する技術分野】
本発明は電子写真方式を用いた複写機、プリンタ、ファクシミリ、それらの複合機などの画像形成装置に関し、特に、記録紙搬送用ローラ軸にクラッチを設けて駆動力を伝達、切断するようにした画像形成装置において、記録紙搬送用ローラに生じる静電気を逃すための接地とクラッチの抜け止めと回転止めを、同一部材で行うよう構成した画像形成装置に関するものである。
【０００２】
【従来の技術】
電子写真方式を用いた複写機、プリンタ、ファクシミリ、それらの複合機などの画像形成装置においては、給紙カセットから記録紙をピックアップするためのピックアップローラ、手差し給紙部からの給紙のための手差し給紙ローラ、これらピックアップローラや手差し給紙ローラによって送られてきた記録紙を中継する中間ローラ、レジストローラなど、記録紙の搬送用に種々のローラが使われている。そしてこれらの搬送ローラは、記録紙との接触によって静電気が発生して記録紙の重送や制御回路への悪影響などの問題が生じるため、静電気を逃すための接地手段を講じる必要がある。また、これら搬送ローラに駆動力の伝達、切断のためのクラッチを接続し、夫々記録紙が送られてきたときだけ駆動力が与えられるよう構成した画像形成装置が多いが、こういったクラッチを中継用のギアを介さずに直接搬送ローラ軸に挿入した場合、抜け止めや回転止めが必要になると共にクラッチによってローラ軸が絶縁されるため、独立して静電気を逃がす接地手段を講じる必要がある。
【０００３】
こういった搬送用ローラの接地手段としては、従来では焼結合金などを用い、焼結合金からアース板を介して実施したり、板バネの一端を導電性を有するローラ軸に押し当て、他端を導電性の画像形成装置本体の金属フレームに押し当てるといった方法が用いられ、またクラッチの抜け防止手段としては、Ｅリングを使ったりクラッチに組み込まれた抜け防止用爪などが用いられていた。しかしながら、板バネを用いた接地手段は板バネの量産時に金型が必要となり、また、板バネの形状が複雑となるにつれて工程が増えて部品単価が上がり、さらに、板バネを使うことによって板幅が必要となって、機構スペースが大きくなるなどの問題があった。
【０００４】
そのため例えば特許文献１には、一端を湾曲させてローラ軸端部に引掛けるためのフックを、中央に画像形成装置本体に締め付ける一巻部を、他端に画像形成装置の導電性部分に押圧する圧縮コイルバネ部を有した線状バネを用い、一巻部を画像形成装置本体に締め付けると共にフックを導電性のローラ軸端部に押圧させ、確実に接地（アース）できるようにした構成が示されている。また特許文献２には、感光体ドラムに設けた噛み合いクラッチではあるが、板状のアース板（４２ｂ）と、噛み合いクラッチを構成する摺動子（ＣＨ２２）の抜け止め用爪が摺動子の収容筒部材（ＣＨ２３）に用いられていることが示されている。
【０００５】
【特許文献１】
登録実用新案第２５７９８９８号
【特許文献２】
特開平６−２０８３２２号公報
【０００６】
【発明が解決しようとする課題】
しかしながら特許文献１に示された装置は、一端を導電性部分に固定するために圧縮コイルバネ部としてあり、導電性部分に押圧して挿入するが、挿入に際して力が必要であるにもかかわらず振動などによって外れてしまう可能性がある。すなわち、画像形成装置における記録紙の搬送用ローラは、前記したように必要なときのみ記録紙を搬送するためクラッチが用いられているが、メンテナンスのためにクラッチを外す場合はこういった接地部材を容易に着脱できることが要求され、また逆に、振動や落下などで簡単に外れてしまうようでも問題が生じる。すなわちこういった接地部材は、比較的簡単に脱着できると共に、振動や衝撃によっても外れないようにという相反する要求を満たす必要がある。また特許文献２に示された構成は、前記従来例として言及した板バネを使った接地部材と、接地部材とは全く別個に設けた抜け防止機構に関するものであり、複雑で組み立てに工数がかかって高価となる。
【０００７】
そのため本発明においては、金型といった初期投資をすること無く、安価に、安定して接地とクラッチの抜け止め及び回転止めを可能とし、かつ、脱着が容易でしかも振動などでも外れない、クラッチの抜けと回転止め兼用接地部材を有した画像形成装置を提供することが課題である。
【０００８】
【課題を解決するための手段】
そのため本発明においては、
画像形成装置における記録紙搬送用ローラの導電性を有するローラ軸に挿入したクラッチを有し、該クラッチの前記導電性を有するローラ軸からの抜け防止と回転止め、及び前記ローラ軸の接地とをねじりスプリングで行うようにした画像形成装置であって、
画像形成装置の導電性を有するフレーム構造体に設けられ、両端部に接地用アームと固定用アームを設けた前記ねじりスプリングの内径より広い幅とした入り口部と、内径より狭い幅とした保持部とを有して前記ねじりスプリングを保持する保持具と、前記固定用アームのローラ軸方向移動を阻止しながら固定する固定具と、前記保持具と前記固定具の間で挟んで回転範囲を制限するよう構成した回転止め用腕部を有した前記クラッチとからなり、前記クラッチの腕部を前記保持具と前記固定具の間で挟むと共に固定用アームで可動範囲を制限し、前記接地用アームを前記ローラ軸に当接させて前記ローラ軸からの抜け防止と回転止め、及び前記ローラ軸の接地とを行うようにしたことを特徴とする。
【０００９】
このように、ねじりスプリングと導電性フレーム構造体とによりクラッチの抜け防止と回転止めを実現し、更にクラッチを挿入した導電性を有するローラ軸の接地部材をねじりスプリングで構成したことにより、従来の接地部材のように金型といった初期投資が必要無くなる。また、クラッチには回転止め用に腕部を設け、スプリングクラッチの保持具と固定具によってこの腕部の回転範囲を制限すると共に、ねじりスプリングの固定用アーム並びに保持具と固定具とによって可動範囲を制限するよう固定することにより、画像形成装置の振動や落下時の衝撃によってもクラッチが外れたり、ずれたりしないようにすることができる。さらに、ねじりスプリングを保持する保持具を、ねじりスプリングの内径より広い幅とした入り口部と内径より狭い幅とした保持部とで構成したことにより、このねじりスプリングを保持具に入れるときは押圧することで容易に保持具に挿入できるにもかかわらず、一度保持具に入ったねじりスプリングは保持具の入り口に阻止されて容易に抜けず、安価に、安定して接地とクラッチの抜け防止及び回転止めを行うことが可能となる。また、メンテナンスによってクラッチを取り外すような場合でも、接地部材としてのねじりスプリングは意図的に保持具から取り外さない限り外れないから、紛失するといったことが防止でき、しかも、一端のアームをスプリングの巻き径部が広がる方向に回転させれば、保持部の入り口部を容易に通過させて外すことができ、脱着が容易にもかかわらず振動や落下などでも外れないクラッチの抜け防止と回転止め、及び導電性を有するローラ軸の接地を可能とする接地部材を有した画像形成装置を提供できる。
【００１０】
そして前記保持具におけるねじりスプリングの保持部は、ねじりスプリングの接地用アームを導電性を有するローラ軸に当接させ、固定用アームを固定具に固定した状態で保持部をスプリング部の内径より狭い幅とし、さらに前記保持具におけるねじりスプリングの保持部を、ねじりスプリングの高さより広くなるよう形成した。このことにより、ねじりスプリングの接地用アームを導電性を有するローラ軸に当接させて固定用アームを固定具に固定したセット状態では、スプリングの内径が小さくなると共にスプリングの高さ方向が高くなるが、それによってスプリングの動きが阻害されて設計値以上の応力が発生したり、ローラ軸と接地用アームとの接触部で削れや異音等が発生する原因が防止できる。
【００１１】
また、前記保持具におけるねじりスプリングの保持部は、保持具の両側より切り欠きを設けて前記ねじりスプリングの内径より狭い幅にすると共に接地用アーム側の切り欠きを逆側より大きく設けたことにより、導電性を有するローラ軸に接地用アームをかけてスプリング径が小さくなっても、この保持具と緩衝しないようにすることができる。
【００１２】
また、前記クラッチの回転止め腕部と前記保持具と固定具の間、及び固定用アームとの間に間隔を設けたことにより、搬送ローラのクラッチは、多少遊びを設けて共回りするようにした方が記録紙の送りの伝達遅れやクラッチの共回りの不良が無くなるが、このようにクラッチの回転止め腕部の保持具と固定具の間、及び固定用アームとの間に間隔を設けたことによりクラッチはこの隙間の範囲で自由に動くことができるから、クラッチ内部の部品の異常摩耗や、クラッチの共回り不良及び記録紙の伝達遅れによる紙ジャム不良といった問題が発生しないようになる。
【００１３】
そして、前記ねじりスプリングの固定用アームにクランク曲げ部を設けると共に前記クラッチの回転止め腕部を二股とし、前記クランク曲げ部におけるローラ軸方向部を前記二股の間に通すか、ねじりスプリングの固定用アームに前記クラッチの回転止め腕部を押さえる箱曲げを設けることも本発明の好適な実施例である。
【００１４】
そして前記ねじりスプリングは、第１の巻き径部と、少なくとも２巻き以下を前記第１の巻き径部より小径とした第２の巻き径部とから構成することにより、このねじりスプリングを保持具に入れるときは第２の巻き径部で押圧することで全てを同径としたときより容易に保持具に挿入できるにもかかわらず、一度保持具に入ったねじりスプリングは第２の巻き径部が保持具入り口に阻止されて容易に抜けず、安価に、安定して抜け防止と回転止め、及び接地を行うことが可能となる。また、メンテナンスによってクラッチを交換するような場合でも、ねじりスプリングを保持具から意図的に取り外さない限り外れないから、紛失するといったことが防止できる。しかも、両端のアームを第２の巻き径部が広がる方向に回転させれば、保持部の入り口部を容易に通過させて外すことができ、脱着が容易にもかかわらず振動や落下などでも外れない接地部材を有した画像形成装置を提供できる。
【００１５】
また前記ねじりスプリングにおける接地用アームは、前記導電性を有するローラ軸への当接部位に円弧状部を設けると共に端部を起こし、さらに、前記導電性を有するローラ軸の前記接地用アームを当接させる部位に溝を設け、この溝の深さと幅を、スプリングを構成する線材の直径より深く、幅を線材の直径の２倍以上としたことにより、抜け防止と回転止めを行い、このねじりスプリングにより接地部材が確実に導電性を有するローラ軸に掛かっているので輸送時の振動や画像形成装置本体が落下したような衝撃でも外れない。また、ねじりスプリングの接地部材が導電性を有するローラ軸の保持具にセットした状態でねじりスプリングがある程度傾いても、溝の幅が十分に確保されているため、溝の壁に当たって回転抵抗が大きくなったり音がするなどの影響といった問題も防止することができる。
【００１６】
またこの溝には、絶縁性のグリスを塗布することによって、摺動抵抗を軽減し、そのため音が発生するなどのことを防止することができる。
【００１７】
さらに、前記固定具に切れ込みを有する挟持部を設けると共に前記ねじりスプリングの固定用アーム端部に山形形状部を有した「コ」の字状の屈曲部を設け、前記挟持部によって前記固定用アームを撓ませながら端部の「コ」の字状屈曲部と山形形状部を保持して固定用アームを固定することにより、接地部材を確実に固定して、画像形成装置本体が落下した場合でも接地部材が外れたりしないようにすることができる。
【００１８】
また、前記ねじりスプリングの一端に設けた固定用アームは、コの字状の屈曲部と山形形状を利用したねじりスプリングのアームのねじりモーメントにより強く固定され、また固定アームの途中で曲げられたクランクによりクラッチの回転止めを実現するとともに、後述（図４）する具体例に示したようにねじりスプリングのコイル部の内側に位置付けられるように曲げられたアームによって、クラッチのスラスト方向の移動（衝撃による移動を含む）をねじりスプリングのコイル部と後述したコの字状の屈曲部と山形形状部の内部応力を利用し、ねじりスプリングのアームがコイル部に入り込むような状態を防止することができる。
【００１９】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００２０】
図１は本発明になる画像形成装置における主要構成要素と記録紙の搬送経路を説明するための概念図、図２は本発明になる画像形成装置の外カバーを除いて駆動力伝達機構側から見た側面図、図３は本発明の画像形成装置における抜けと回転止め兼用接地部材の取り付け状況を示した概要図、図４は本発明の画像形成装置における抜けと回転止め兼用接地部材を構成するねじりスプリングの斜視図（ａ）と逆側から見た概要図（ｂ）、図５は本発明の画像形成装置における抜けと回転止め兼用接地部材の保持具と固定具の側面図、図６は本発明の画像形成装置における抜けと回転止め兼用接地部材を保持する保持具の詳細図、図７は本発明の画像形成装置における抜けと回転止め兼用接地部材の固定具の詳細図、図８は本発明の画像形成装置における抜けと回転止め兼用接地部材を用いたクラッチの回転止めを行った場合の側面図、図９は本発明の画像形成装置における抜けと回転止め兼用接地部材を導電性を有するローラ軸にセットした状態を示した概要図、図１０並びに図１２、図１３は本発明の画像形成装置における抜けと回転止め兼用接地部材におけるアームが、衝撃によってスプリング部の途中に入ってしまったことを示した概念図、図１１は本発明の画像形成装置における抜けと回転止め兼用接地部材におけるアームを箱曲げして回転止めした場合の概要図、図１４は本発明の画像形成装置における抜けと回転止め兼用接地部材の第２実施形態の取り付け状況を示した概要図、図１５は本発明の画像形成装置における抜けと回転止め兼用接地部材の第２実施形態における保持具と固定具の側面図、図１６は本発明の画像形成装置における抜けと回転止め兼用接地部材の第２実施形態でクラッチの抜け止めをした状態を示した側面図、図１７は本発明の画像形成装置における抜けと回転止め兼用接地部材を保持する保持具の他の実施例の概要図である。
【００２１】
図中同一構成要素には同一番号を付し、図１において１は記録紙２を収容した給紙カセット、３は記録紙２をピックアップして給紙する給紙用ピックアップローラ、４はピックアップした記録紙２を送り出す給紙ローラ、５は中間ローラ、６は手差し給紙部に置かれた記録紙を一枚ずつ送り出す第２給紙ローラ、７は送られてきた記録紙２の姿勢を正し、感光体８上のトナー像形成タイミングに合わせて転写位置に記録紙を送り出すレジストローラ、８は感光体（像担持体）、９は転写ローラ、１０は定着ローラ、１１は排出ローラ、１２はこれらピックアップローラ３、中間ローラ５、第２給紙ローラ６、レジストローラ７、感光体（像担持体）８、定着ローラ１０、排出ローラ１１などへ駆動力を送るモータ、１３は給紙カセット１からの記録紙の搬送路、１４は手差し給紙部からの記録紙の手差し搬送路、１５は中間ローラ５から排出ローラ１１までの搬送路である。なおこのうち、ピックアップローラ３、中間ローラ５、第２給紙ローラ６、レジストローラ７によって給紙・搬送系が構成され、また、感光体８の周りには、図示していないが帯電装置、露光開口、現像装置、クリーニングブレードなどが配されてプロセスユニットを構成し、さらに定着ローラ１０、排出ローラ１１などによって定着・排紙系が構成されている。また、給紙ローラ４から中間ローラ５まで、中間ローラ５からレジストローラ７まで、感光体８から定着ローラ１０まで、定着ローラ１０から排出ローラ１１までは、図示しない搬送ガイドや搬送ローラが設けられている。
【００２２】
図２における２０は画像形成装置の外カバーを外した装置本体、２１は駆動力伝達機構を配する画像形成装置のベースフレーム、２２はモータ１２の駆動力を前記した給紙・搬送系、プロセスユニット、定着・排紙系などへ伝えるギア列を有し、導電性の金属板で作成されたドライブプレート、２４は手差し搬送路１４から記録紙をレジストローラ７に送り出すための第２給紙ローラ６への駆動力の伝達、切断を行うスプリングクラッチ２５を制御するフラッパーソレノイド、２６は中間ローラ５の回転、停止を制御する中間クラッチ、２７はレジストローラ７の回転、停止を制御するレジストクラッチ本体とクラッチホルダーからなるレジストクラッチ組立部材（以下単にレジストクラッチと称す）、２８はピックアップローラ３の回転、停止を制御する給紙クラッチである。
【００２３】
図３における３０はねじりスプリングで構成した抜けと回転止め兼用接地部材、３１（３１１、３１２）は接地のために導電性を有するローラ軸４４に当接させる円弧状部３５（３５１、３５２）を設けた円弧状部側アーム、３２（３２１、３２２）は抜けと回転止め兼用接地部材３０を固定するための固定部側アーム、３３は第１の巻き径部３４より少なくとも２巻き以下を小径とした第２の巻き径部、３６（３６１、３６２）は円弧状部３５（３５１、３５２）を導電性を有するローラ側に容易に掛けられるようにするために起こされた端部、３７（３７１、３７２）は接地部材３０における固定用山形形状３８（３８１、３８２）を設けた固定端部、３９はクラッチの一例としての給紙クラッチ２８における回転止め用腕部４０、４１を有した回転止め部材、４２はドライブプレート２２に設けた抜けと回転止め兼用接地部材３０の保持具、４３は同じくドライブプレート２２に設けた抜けと回転止め兼用接地部材３０の固定具、４４はピックアップローラ３とそのピックアップローラ３へ駆動力の伝達、切断を行う給紙クラッチ２８の導電性を有するローラ軸である。
【００２４】
図９の４５は導電性を有するローラ軸４４に設けた抜けと回転止め兼用接地部材３０の円弧状部３５を掛ける溝、図８における４６、４７は隙間、図６における５０は保持具４２の抜けと回転止め兼用接地部材３０における第１の巻き径部３４を保持する部位、５１は保持具４２の抜けと回転止め兼用接地部材３０における第２の巻き径部３３に対応した切り欠きが設けられた部位、５２は保持具４２における抜けと回転止め兼用接地部材３０の入り口部、図７における５３は固定具４３における抜けと回転止め兼用接地部材３０の固定部側アーム３２をはめ込んで挟持するための切れ込み５４を設けて折り曲げた挟持部、図８における５５は抜けと回転止め兼用接地部材３０の固定部側アーム３２に設けたクランク曲げ部、５６は切れ込み５４の固定用山形形状３８を掛ける肩、図１１における６０は本発明の抜けと回転止め兼用接地部材の他の実施例で、６１は接地のために導電性を有するローラ軸４４に当接させる側のアーム、６２は箱曲げ部によってクラッチにおける回転止め用腕部６３の回転止めを行う抜けと回転止め兼用接地部材３０における固定部側アームである。
【００２５】
図１４において、７０は本発明の第２実施形態の保持具、７１は本発明の第２実施形態の抜けと回転止め兼用接地部材、７２（７２１、７２２）は接地用アーム、７３は固定部側アーム、図１５において７４はスプリング部を保持する部位、７５は保持具７０の入り口部、図１６において７６、７７はクラッチ２８における回転止め部材３９の腕部４０、４１と保持具７０、固定具４３との間に設けた隙間、図１７において７８は保持具、７９、８０はねじりスプリングの保持部である。
【００２６】
最初に図１に基づき、本発明を用いた画像形成装置の一実施例の動作概略を説明する。図１は、画像形成装置における主要構成要素と記録紙の搬送経路を説明するための概念図であり、ドライブプレート２２の一面に設けられたモータ１２により、給紙カセット１に収容された記録紙２をピックアップするピックアップローラ３、その記録紙２を送り出す給紙ローラ４、中間ローラ５、手差し給紙部に置かれた記録紙を一枚ずつ送り出す第２給紙ローラ６、送られてきた記録紙２の姿勢を正し、感光体８上のトナー像形成タイミングに合わせて転写位置に記録紙を送り出すレジストローラ７、感光体（像担持体）８とその周辺に配置された図示していない帯電装置、露光開口、現像装置、クリーナーなどで構成されるプロセスユニット、定着ローラ１０、排出ローラ１１などを駆動する。そしてこのうち、ピックアップローラ３、中間ローラ５、第２給紙ローラ６、レジストローラ７、定着ローラ１０、排出ローラ１１は、図２に示したように給紙クラッチ２８（ピックアップローラ３に対応）、中間クラッチ２６（中間ローラ５に対応に対応）、スプリングクラッチ２５（第２給紙ローラ６）、レジストクラッチ２７（レジストローラ７に対応）、及び図示していない定着クラッチ、排出クラッチなどが取り付けられ、必要なときに駆動力が伝達されて回転するようになっている。
【００２７】
今、図示していない制御装置から画像形成指示が来ると、図示していない露光装置で感光体８が露光されて潜像が形成され、やはり図示していない現像装置によってその潜像が現像されてトナー像が形成される。一方、給紙カセット１に収容された記録紙２は、ピックアップローラ３でピックアップされて給紙ローラ４で中間ローラ５に送られ、さらにレジストローラ７に送られる。そして、このレジストローラ７によって感光体８上にトナー像が形成されるタイミングに合わせて転写位置に送られ、バイアスを印加された転写ローラ９によって感光体８上のトナー像が転写される。こうしてトナー像が転写された記録紙２は、定着ローラ１０に送られて定着され、排出ローラ１１で排出される。すなわち、ピックアップローラ３は、画像形成指示が来たときに給紙クラッチ２８がつながって給紙カセット１に収容された記録紙２をピックアップし、第２給紙ローラ６は、手差し搬送路１４に記録紙２が置かれてスプリングクラッチ２５がつながったときに回転して記録紙２を中間ローラ５に送り出す。一方中間ローラ５は、これらピックアップローラ３、第２給紙ローラ６によって記録紙２が送られてきたときに中間クラッチ２６がつながって記録紙２をレジストローラ７に送り届け、レジストローラ７は、感光体８にトナー像が形成されてそのトナー像の先端が転写ローラ９の位置に来るタイミングに合わせてレジストクラッチ２７がつながって、記録紙２を転写位置に送り出すよう構成されている。
【００２８】
そして本発明は、図２に２６、２８で示した中間クラッチ、給紙クラッチのように、中間ローラ５、ピックアップローラ３などの導電性を有するローラ軸に直接取り付けられ、結果的にこれら導電性のローラ軸を電気的に絶縁した状態にするクラッチを有したローラ軸の接地と、クラッチの回転止め、及びクラッチがこれらの軸から抜けてしまうのを防ぐ抜け止めを行うためのものである。
【００２９】
そのため、ねじりスプリングで構成した抜けと回転止め兼用接地部材３０は、図４にその詳細を示したように、両端に円弧状部側アーム３１、固定部側アーム３２と、ねじりスプリング部に第１の巻き径部３４と、第１の巻き径部３４より少なくとも２巻き以下を小径とした第２の巻き径部３３とが設けてある。また、この抜けと回転止め兼用接地部材３０における固定部側アーム３２は、図４（ｂ）の逆側から見た図に示したように、第１の巻き径部３４からその内側に掛かる部分１００を有して曲げられ、衝撃などによって図１０に示したように、第１巻き径部３４の間に入り込んだりしないようにされ、さらに、固定部側アーム３２は、その中間にクランク曲げ部５５（図４（ａ）、図８）と、固定端部３７及び固定用山形形状３８とを有している。
【００３０】
そして抜けと回転止め兼用接地部材３０を保持する保持具４２は、図５、図６に示したように、前記ドライブプレート２２から切り起こされて形成され、基部側にクラッチ２８の回転止め用腕部４１を保持する保持部１０２が形成されている。そしてこの保持部１０２の内側より更に切り立って、ねじりスプリングの第１の巻き径部３４を保持するための肩部１０１が形成され、上記保持部１０２の内側の保持具４２の幅は、抜けと回転止め兼用接地部材３０のねじりスプリング部の第１の巻き径部３４の内径Ｄ１より大きな幅Ｌ１とし、その上に内径Ｄ１より小さな幅Ｌ２とした第１の巻き径部３４を保持する部位５０と、第２の巻き径部３３に対応した切り欠きが設けられた幅Ｌ３、Ｌ４の部位５１、そして第２の巻き径部３４の径Ｄ２より大きい幅Ｌ５を有した入り口部５２が設けられている。なお、この部位５０と部位５１を合わせた高さは、ねじりスプリング部の高さ（図中左側をｈ１、図中右側をｈ２とする）より高く形成する。そして部位５１における切り欠きは、この抜けと回転止め兼用接地部材３０における導電性を有するローラ軸４４に円弧状部３５を当接させる円弧状部側アーム３１の方（図６における右方）を深くしてある。
【００３１】
一方、抜けと回転止め兼用接地部材３０の固定部側アーム３２の固定端部３７を固定する固定具４３は、ドライブプレート２２から切り起こされて形成され、図７、及び図８に示したように、一部に切れ込み５４を設けて折り曲げ、固定部側アーム３２の固定端部３７を固定する挟持部５３と、固定端部３７における固定用山形形状３８をかける肩５６を有している。更に上記肩５６とは反対側（図８中固定具４３の左側）には、クラッチ２８の回転止め用腕部４１を保持するための肩１０６を備えている。そして、図８に示されたように、保持具４２の保持部１０２と固定具４３の肩１０６とが同一の高さに形成され、クラッチ２８の回転止め用腕部４１を水平方向に移動自在に保持するように構成されている。
【００３２】
また導電性を有するローラ軸４４には、図９に示したように、抜けと回転止め兼用接地部材３０の円弧状部３５をかける溝４５が設けられている。そしてこの溝４５は、抜けと回転止め兼用接地部材３０におけるねじりスプリング部を保持具４２で保持して円弧状部３５をこの溝４５にセットしたとき、第１の巻き径部３４と第１の巻き径部を保持する部位５０との間に設けた隙間のために傾くが、その傾きに対して影響が出ないように幅Ｌ６が、抜けと回転止め兼用接地部材３０を作っている線材３５の径の２倍以上としてある。さらにこの溝４５は、画像形成装置を落下させたときなどの衝撃によってこの抜けと回転止め兼用接地部材３０が導電性を有するローラ軸４４から外れることがないよう、深さＨを抜けと回転止め兼用接地部材３０を作っている線材３５の径より大きくしてある。そしてこの溝４５には、絶縁性グリスを塗布して抜けと回転止め兼用接地部材３０と導電性を有するローラ軸３１との摺動抵抗を小さくすると共に、摺動音などの異音を防止するようにしてある。
【００３３】
この抜けと回転止め兼用接地部材３０は、図４における（ａ）、または図３における円弧状部側アーム３１１、固定部側アーム３２１のように非セット状態においてはねじりスプリング部の両側の円弧状部側アーム３１、固定部側アーム３２とが交差するような状態となっている。そして、この抜けと回転止め兼用接地部材３０のねじりスプリング部を保持具４２の入り口部５２に挿入すると、ねじりスプリング部の第１の巻き径部３４はそのまま入るが、この入り口部５２の幅Ｌ５より狭い内径Ｄ２の第２の巻き径部３３は、入り口部５２に設けられた傾斜部で広げられて入ってゆき、第１と第２の巻き径部を保持する部位５０、５１に収まる。するとこのスプリング部は、第２の巻き径部３３の内径Ｄ２が保持具４２の入り口部５２の幅Ｌ５より狭いから、画像形成装置が落下したり振動しても、この保持具４２から自然に外れるということが無くなる。それにもかかわらず、この抜けと回転止め兼用接地部材３０における円弧状部側アーム３１と固定部側アーム３２をスプリング部が広げる方向に回せば、第２の巻き径部４９の径Ｄ２が入り口部５２の幅Ｌ５より大きくなって、容易に取り外すことが可能になる。
【００３４】
そして図３、図７、図８に示したように、抜けと回転止め兼用接地部材３０の固定部側アーム３２における固定端部３７１を、クランク曲げ部５５が給紙クラッチ２８に設けた回転止め部材３９の腕部４０、４１の間に入るよう固定具４３の挟持部５３の切れ込み５４で３７２のように挟持し、さらにこの固定端部３７に設けられている固定用山形形状３８１を、３８２のように切れ込み部の肩５６にかける。すると固定部側アーム３２における固定端部３７２は、挟持した切れ込み部５４と固定具４３の左側とによってしっかりと固定され、さらに固定用山形形状３８２によって容易に抜けないようにされて画像形成装置本体が落下したり振動しても、外れるということが無くなる。そのため、この状態で円弧状部側アーム３１１における円弧状部３５１の端部３６１を持ち、給紙クラッチ２８の導電性を有するローラ軸４４の溝４５に３５２のようにかけてやる。
【００３５】
このようにすることにより抜けと回転止め兼用接地部材３０は、給紙クラッチ２８の回転止め部材３９における腕部４０と４１との間に固定部側アーム３２のクランク曲げ部５５を入れた状態で固定され、しかも第２の巻き径部３３の内径が保持具４２の入り口部５２の幅より狭く、また、固定端部３７と固定用山形形状部３８が固定具４３の切れ込み５４でしっかり固定されているから、振動や落下などでも容易に外れることがなく、そのため給紙クラッチ２８も同様に振動や落下などで抜け落ちたりすることがない。しかも、給紙クラッチ２８の回転止め部材３９における腕部４０、４１と、保持部４２、固定具４３との間には、図８からわかるように、隙間４６、４７があり、また、抜けと回転止め兼用接地部材３０における固定用山形形状部３８を固定具４３の肩５６に掛けると、固定部側アーム３２と腕部４０、４１との間にも隙間ができる。搬送ローラのクラッチは、多少遊びを設けて共回りする（自由に動くことができる）ようにした方が記録紙の送りに際してクラッチの連結、開放時間の遅れが無くなるが、給紙クラッチ２８はこの隙間の範囲で自由に動くことができるから、クラッチ内部の部品の異常摩耗や、クラッチの共回り不良といった問題が発生しないようになる。
【００３６】
しかも第２の巻き径部３３の内径が保持具４２の入り口部５２の幅より狭く、また、固定端部３７と固定用山形形状部３８が固定具４３の切れ込み部５４でしっかり固定されているから、メンテナンスなどで導電性を有するローラ軸４４から円弧状部３５を外しても自然に落下したりすることがない。それにもかかわらず前記したように、円弧状部側アーム３１と固定部側アーム３２をスプリング部が広げる方向に回せば、第２の巻き径部３３の径Ｄ２が入り口部５２の幅Ｌ５より大きくなって、容易に取り外すことが可能になるから脱着が非常に容易にできる。なお、抜けと回転止め兼用接地部材３０における固定部側アーム３２に設けられたクランク曲げ部５５は、前記したように給紙クラッチ２８をある程度自由に動かせるようにして回転止めと抜け止めをすればよいから、クランク曲げだけでなく、図１１に示したように、箱曲げにしてもよい。この図１１において、６０は抜けと回転止め兼用接地部材を構成するねじりスプリング、６１は円弧状部側アーム、６２は固定部側アーム、６３は給紙クラッチ２８の回転止め部材３９における腕部４０であり、この図１１の実施例の場合、給紙クラッチ２８の回転止め部材３９における腕部は６３のように一つで良く、固定部側アーム６２をこの腕部６３の周りで箱曲げすればよい。また、以上の説明では給紙クラッチ２８を例に説明してきたが、前記したように中間クラッチ２６やレジストクラッチ２７に応用できることは自明である。
【００３７】
なお、前記したように抜けと回転止め兼用接地部材３０における固定部側アーム３２は、図４（ｂ）の逆側から見た図に示したように、第１の巻き径部３４からその内側に掛かる部分１００を有しているが、これは、この内側への曲げが形成されていない場合には、衝撃などによって図１３に示したように、固定部側アーム３２の巻き径部３４側の部分１００が、ねじりスプリングの巻き径部３４内に入り込んで、クラッチ２８の回転止め用腕部４１がねじれスプリングの巻き径部３４と保持部の肩部１０１との間に挟まり、クラッチの曲がり止めが拘束されて、クラッチの連結／開放時間に遅れが生じてしまい、その結果紙ジャムの原因となるような問題を防止するためである。またこれは、クラッチ２８が抜ける方向に製品を落下してしまったような場合に、ねじりスプリングの巻き径部３４と保持具４２との隙間（ねじりスプリングの巻き径部３４の高さより部位５１の切り欠き部の高さｈ２がわずかに大きいため）の存在により、図１２に示したように、ねじりスプリングの巻き径部３４が図中上方に移動し、巻き径部３４の図中下側と肩部１０１との間にクラッチ２８の回転止め用腕部４１が挟まってしまうためである。しかし、図４（ｂ）の逆側から見た図に示したように、第１の巻き径部３４からその内側に掛かる部分１００を設けることで、こうした不具合を防止することができる。
【００３８】
また、本発明は以上のような構成だけでなく、種々の変形が可能である。例えば図１４は、本発明の画像形成装置おける抜けと回転止め兼用接地部材の第２実施形態であり、この第２実施形態における抜けと回転止め兼用接地部材７１を構成するねじりスプリング部は、図４に示した第１実施形態のスプリング部とは異なり、全て同一径とすると共に接地用アーム７２と固定部側アーム７３を直線状に形成してあるが、図４（ｂ）に示したのと同様に固定部側アーム７３は巻き径部からその内側に掛かるように曲げられ、衝撃などによって前記図１０並びに図１２、図１３に示したように固定側アーム部７３が巻き径部の間に入り込んだりしないようにしてある。そして、この抜けと回転止め兼用接地部材７１における固定部側アーム７３を固定する固定具４３は、ドライブプレート２２から切り起こして前記図７に示したものと同様に構成する。一方スプリング部を保持する保持具７０は、図１５に示したように、ドライブプレート２２から切り起こして基部を抜けと回転止め兼用接地部材７１のねじりスプリング部の内径Ｄ３より大きな幅Ｌ７とし、その上にスプリング部の内径Ｄ３より小さな幅Ｌ８として接地用アーム７２側を切り欠いて、接地用アーム７２を導電性を有するローラ軸４４にかけて内径Ｄ３が縮まった場合に備えたスプリング部を保持する部位７４と、スプリング部の内径Ｄ３より大きい幅Ｌ９を有した入り口部７５が設けられている。
【００３９】
そして、給紙クラッチ２８の抜けと回転止めと接地をおこなう場合、図１４、図１６に示したように、給紙クラッチ２８における回転止め部材３９の回転止め用腕部４０、４１を保持具７０と固定具４３との間に入れ、抜けと回転止め兼用接地部材７１におけるスプリング部をこの保持具７０における入り口部７５から挿入する。このスプリング部は、内径Ｄ３が保持具７０の入り口部７５の幅Ｌ９より狭いから、一度入り口部７５から圧入すると、画像形成装置が落下したり振動しても、この保持具７０から自然に外れるということが無くなる。それにもかかわらず、この抜けと回転止め兼用接地部材７１における接地用アーム７２と固定部側アーム７３をスプリング部が広げる方向に回せば、内径Ｄ３が入り口部７５の幅Ｌ９より大きくなり、取り外しは容易である。しかし前記図３に示した場合とは異なり、給紙クラッチ２８の回転止め部材３９における腕部４０、４１をクランク曲げ部によって回転止めするのではなく、図１６に示したように、給紙クラッチ２８における回転止め部材３９の回転止め用腕部４０、４１の上に固定部側アーム７３を掛け渡し、固定具４３における切れ込み部５４で挟持する。そのため固定部側アーム７３は、図１４から明らかなように固定具４３の左端と切れ込み部５４によって撓んで強固に固定され、画像形成装置本体が落下したり振動しても外れるということが無くなる。そしてこの状態で接地用アーム７２を、初期の状態７２１から移動して給紙クラッチ２８の導電性を有するローラ軸４４の溝４５に７２２のようにかけてやる。
【００４０】
このようにすることにより、抜けと回転止め兼用接地部材７１は、保持具７０と固定具４３との間に入れた給紙クラッチ２８の回転止め部材３９における腕部４０と４１を固定部側アーム７３でしっかり固定し、しかも、スプリング部の内径が保持具７０の入り口部７５の幅より狭いから、振動や落下などでも容易に外れることがない。そのため、給紙クラッチ２８も同様に振動や落下などで抜け落ちたりすることがないと共に、メンテナンスなどで導電性を有するローラ軸４４や固定具４３からこの抜けと回転止め兼用接地部材７１の接地用アーム７２や固定部側アーム７３を外しても、保持具７０から外れて紛失したりすることもない。しかも、給紙クラッチ２８の回転止め部材３９における腕部４０、４１と、保持部７０、固定部７１との間には、図１６からわかるように隙間７６、７７があり、前記したように、搬送ローラのクラッチは、多少遊びを設けて共回りするようにした方が記録紙の送りの伝達遅れが無くなるが、給紙クラッチ２８はこの隙間７６、７７の範囲で自由に動くことができるから、クラッチ内部の部品の異常摩耗や、クラッチの共回り不良といった問題が発生しないようになる。なお、以上の説明では給紙クラッチ２８を例に説明してきたが、前記したように中間クラッチ２６やレジストクラッチ２７に応用できることは自明である。
【００４１】
また以上の説明では、保持具７０における抜けと回転止め兼用接地部材７１のスプリング部を保持する部位７４は、図１５、図１６においては図上右側の接地用アーム７２側のみを切り欠いて接地用アーム７２を導電性を有するローラ軸４４にかけて内径Ｄ３が縮まった場合に備えるようにしたが、この切り欠きを図１７に示したように保持具７８の両側に７９、８０として設けても良い。このようにすると、抜け防止と回転止め、及び接地部材における接地用アームを導電性を有するローラ軸にかけてスプリング径が小さくなっても、この保持具７８と緩衝しないようにすることができる。
【００４２】
【発明の効果】
以上記載の如く本発明によれば、画像形成装置の導電性を有するフレーム構造体に設けられ、両端部に接地用アームと固定用アームを設けた前記ねじりスプリングの内径より広い幅とした入り口部と、内径より狭い幅とした保持部とを有して前記ねじりスプリングを保持する保持具と、前記固定用アームのローラ軸方向移動を阻止しながら固定する固定具と、前記保持具と固定具の間で挟んで回転範囲を制限するよう構成した回転止め用腕部を有した前記クラッチとで構成し、前記クラッチの腕部を前記保持具と固定具の間で挟むと共に固定用アームで可動範囲を制限し、前記接地用アームを前記導電性を有するローラ軸に当接させて前記クラッチの導電性を有するローラ軸からの抜け防止と回転止め、及び前記導電性を有するローラ軸の接地とを行うようにしたことにより、まず抜け防止と回転止め、及び接地部材をねじりスプリングで構成したことで従来の接地部材のように金型といった初期投資が必要無くなる。また、クラッチの回転止め用に腕部を設け、スプリングクラッチの保持具と固定具によってこの腕部の回転範囲を制限すると共に、ねじりスプリングの固定用アームで可動範囲を制限するよう固定することにより、振動や画像形成装置を落下させたことによる衝撃によってもクラッチが外れたりずれたりしないようにすることができる。さらに、ねじりスプリングを保持する保持具を、ねじりスプリングの内径より広い幅とした入り口部と内径より狭い幅とした保持部とで構成したことにより、このねじりスプリングを保持具に入れるときは押圧することで容易に保持具に挿入できるにもかかわらず、一度保持具に入ったねじりスプリングは保持具の入り口に阻止されて容易に抜けず、安価に、安定して接地とクラッチの抜け防止及び回転止めを行うことが可能となる。また、メンテナンスによってクラッチを取り外すような場合でも、接地部材は保持具から取り外さない限り外れないから、紛失するといったことが防止でき、しかも、一端のアームをスプリングの巻き径部が広がる方向に回転させれば、保持部の入り口部を容易に通過させて外すことができ、脱着が容易にもかかわらず振動や落下などでも外れないクラッチの抜け防止と回転止め、及び接地部材を有した画像形成装置を提供できる。
【００４３】
そして前記保持具におけるねじりスプリングの保持部は、接地用アームを導電性を有するローラ軸に当接させ、固定用アームを固定具に固定した状態でスプリング部の内径より狭い幅とし、さらに前記保持具におけるねじりスプリングの保持部を、ねじりスプリングの高さより広くなるよう形成したことにより、ねじりスプリングの接地用アームを導電性を有するローラ軸に当接させて固定用アームを固定具に固定したセット状態では、スプリングの内径が小さくなると共にスプリングの高さ方向が高くなるが、それによってスプリングの動きが阻害されて設計値以上の応力が発生したり、ローラ軸と接地用アームとの接触部で削れや異音等が発生する原因が防止できる。
【００４４】
また、前記保持具におけるねじりスプリングの保持部は、接地用アーム側における保持具端部からの間隔を逆側より大きく設けたことにより、導電性を有するローラ軸に接地用アームをかけてスプリング径が小さくなっても、この保持具と緩衝しないようにすることができる。
【００４５】
また、前記クラッチの回転止め腕部と前記保持具と固定具の間、及び固定用アームとの間に間隔を設けたことにより、搬送ローラのクラッチは、多少遊びを設けて共回りするようにした方が記録紙の送りの伝達遅れが無くなるが、このように保持具と固定具の間、及び固定用アームとの間に間隔を設けたことによりクラッチはこの隙間の範囲で自由に動くことができるから、クラッチ内部の部品の異常摩耗や、クラッチの共回り不良、更には連結時間の遅れによるジャムといった問題が発生しないようになる。
【００４６】
そして前記ねじりスプリングは、第１の巻き径部と、少なくとも２巻き以下を前記第１の巻き径部より小径とした第２の巻き径部とから構成することにより、このねじりスプリングを保持具に入れるときは第２の巻き径部で押圧することで全てを同径としたときより容易に保持具に挿入できるにもかかわらず、一度保持具に入ったねじりスプリングは第２の巻き径部が保持具入り口に阻止されて容易に抜けず、安価に、安定して抜け防止と回転止め、及び接地を行うことが可能となる。また、メンテナンスによってクラッチを交換するような場合でも、ねじりスプリングを保持具から取り外さない限り外れないから、紛失するといったことが防止できる。しかも、一端のアームを第２の巻き径部が広がる方向に回転させれば、保持部の入り口部を容易に通過させて外すことができ、脱着が容易にもかかわらず振動や落下などでも外れない接地部材を有した画像形成装置を提供できる。
【００４７】
また前記ねじりスプリングにおける接地用アームは、前記導電性を有するローラ軸への当接部位に円弧状部を設けると共に端部を起こし、さらに、前記導電性を有するローラ軸の前記接地用アームを当接させる部位に溝を設け、この溝の深さと幅を、スプリングを構成する線材の直径より深く、幅を線材の直径の２倍以上としたことにより、抜け防止と回転止め、及び接地部材が確実に導電性を有するローラ軸に掛かって振動や画像形成装置本体が落下したような衝撃でも外れないようになり、また抜け防止と回転止め、及び接地部材を保持具にセットしたときにある程度傾いても、溝に幅がない場合は溝の壁に当たって回転抵抗が大きくなったり音がするなどの影響が出るが、これらの問題も防止することができる。
【００４８】
またこの溝には、絶縁性のグリスを塗布することによって、摺動抵抗を軽減し、そのため音が発生するなどのことを防止することができる。
【００４９】
さらに、前記固定具に切れ込みを有する挟持部を設けると共に前記固定用アーム端部に山形形状部を有した「コ」の字状の屈曲部を設け、前記挟持部によって前記固定用アームを撓ませながら端部の「コ」の字状屈曲部と山形形状部を保持して固定用アームを固定することにより、接地部材を確実に固定して、画像形成装置本体が落下した場合でも接地部材が外れたりしないようにすることができる。
【００５０】
また、前記ねじりスプリングの一端に設けた固定用アームは、前記ねじりスプリング端部からスプリングの内側に掛かるように曲げられていることにより、この固定用アームが衝撃などによってスプリングの端ではなく、スプリングの途中に入り込んで所期の目的を達せられないようになってしまうのを防ぐことができる。
【図面の簡単な説明】
【図１】本発明になる画像形成装置における主要構成要素と記録紙の搬送経路を説明するための概念図である。
【図２】本発明になる画像形成装置の外カバーを除いて駆動力伝達機構側から見た側面図である。
【図３】本発明の画像形成装置における抜けと回転止め兼用接地部材の取り付け状況を示した概要図である。
【図４】本発明の画像形成装置における抜けと回転止め兼用接地部材を構成するねじりスプリングの斜視図（ａ）と逆側から見た概要図（ｂ）である。
【図５】本発明の画像形成装置における抜けと回転止め兼用接地部材の保持具と固定具の側面図である。
【図６】本発明の画像形成装置における抜けと回転止め兼用接地部材を保持する保持具の詳細図である。
【図７】本発明の画像形成装置における抜けと回転止め兼用接地部材の固定具の詳細図である。
【図８】本発明の画像形成装置における抜けと回転止め兼用接地部材を用いたクラッチの回転止めを行った場合の側面図である。
【図９】本発明の画像形成装置における抜けと回転止め兼用接地部材を導電性を有するローラ軸にセットした状態を示した概要図である。
【図１０】本発明の画像形成装置における抜けと回転止め兼用接地部材におけるアームが、衝撃によってスプリング部の途中に入ってしまった場合を示した概念図である。
【図１１】本発明の画像形成装置における抜けと回転止め兼用接地部材におけるアームを箱曲げして回転止めした場合の概要図である。
【図１２】本発明の画像形成装置における抜けと回転止め兼用接地部材におけるアームが、衝撃によってスプリング部の途中に入ってしまい、クラッチの曲がり止めが拘束された場合を示した図である。
【図１３】本発明の画像形成装置におけるねじりスプリングの巻き径部が上方に移動し、巻き径部の下側と肩部との間にクラッチの回転止め用腕部４１が挟まってしまった場合を示した図である。
【図１４】本発明の画像形成装置における抜けと回転止め兼用接地部材の第２実施形態の取り付け状況を示した概要図である。
【図１５】本発明の画像形成装置における抜けと回転止め兼用接地部材の第２実施形態における保持具と固定具の側面図である。
【図１６】本発明の画像形成装置における抜けと回転止め兼用接地部材の第２実施形態でクラッチの抜け止めをした状態を示した側面図である。
【図１７】本発明の画像形成装置における抜けと回転止め兼用接地部材を保持する保持具の他の実施例の概要図である。
【符号の説明】
２８  給紙クラッチ
３０  抜けと回転止め兼用接地部材
３１  円弧状部側アーム
３２  固定部側アーム
３３  第２の巻き径部
３４  第１の巻き径部
３５  円弧状部
３６  端部
３７  固定端部
３８  固定用山形形状
３９  回転止め部材
４０、４１  回転止め用腕部
４２  保持具
４３  固定具
４４  導電性を有するローラ軸
【図１】
2004250174.tif 000003
【図２】
2004250174.tif 000004
【図３】
2004250174.tif 000005
【図４】
2004250174.tif 000006
【図５】
2004250174.tif 000007
【図６】
2004250174.tif 000008
【図７】
2004250174.tif 000009
【図８】
2004250174.tif 000010
【図９】
2004250174.tif 000011
【図１０】
2004250174.tif 000012
【図１１】
2004250174.tif 000013
【図１２】
2004250174.tif 000014
【図１３】
2004250174.tif 000015
【図１４】
2004250174.tif 000016
【図１５】
2004250174.tif 000017
【図１６】
2004250174.tif 000018
【図１７】
2004250174.tif 000019